(57)【特許請求の範囲】
【請求項１】
網材(1)が海中に浮設して設置され、海水を自由に透過させて内部に活魚を生息させる活魚イケスにおいて、
網材(1)の上端開口部の平面形状を、多角形、円形、または楕円形とし、水平断面積を下方に向かって次第に小さく形成し、さらに、網材(1)は底面の中心部に、網材(1)を引き上げる引上部材(3)を連結し、網材(1)は上端に沿ってイケスフレーム(2)が設けられており、このイケスフレーム(2)は、対角あるいは対辺を連絡する線上に作業橋(4)が連結されており、作業橋(4)の中心部分には、網材(1)に連結される引上部材(3)を介して網材(1)を引き揚げる吊揚開口(5)が設けられてなることを特徴とする活魚イケス。
【発明の詳細な説明】
【０００１】
【発明の属する技術分野】
本発明は、魚の養殖、あるいは、捕獲した魚を一時的に畜養するのに使用される活魚イケスに関する。
【０００２】
【従来の技術】
活魚イケスは、活魚を傷つけずに自由に遊泳させること、さらに、生息させる活魚を傷をつけないように能率よく捕獲することが大切である。遊泳する活魚の傷を少なくするためには、活魚が網材に衝突するのを防止することが大切である。活魚が網材に衝突し、あるいは網材を擦って損傷するからである。このことを実現するためには、網材が海水の流れ等で乱れた形状となるのを防止することが大切である。網材は、海水の流れで波型に変形してしわができた形状となることがある。この形状になると、遊泳する活魚が、内側に突出する部分に衝突して、損傷を受けることがある。
【０００３】
さらに、活魚イケスの活魚は、大きさ別に選別するとき、あるいは、出荷するときに捕獲する必要がある。このときも活魚の損傷を少なくすることが大切である。さらに、この作業は非常に重労働であるために、能率よく楽にイケスから取り出しできることも大切である。
【０００４】
【発明が解決しようとする課題】
従来の活魚イケスは、図１に示すように、網材１を上方を開口した方形状に成形したものであるから、遊泳する活魚が損傷を受けやすく、また、生息する活魚を能率よく捕獲するのが難しい欠点がある。それは、この形状の網材１は、海水が移動すると波のように変形して、内部に凸部ができるからである。網材１の上部は、イケスフレーム２で変形しないように、方形状に保形できる。ただ、網材１の底部を、決められた形状に保形するのは難しい。このため、ゆっくりした海水の移動でも、網材が変形して内部に凸部ができて、活魚を損傷させる欠点がある。
【０００５】
さらに、図１に示す活魚イケスは、活魚を捕獲するのが極めて重労働である。それは、網材１の周囲をイケスフレーム２に引き上げて網締めするからである。さらに、この状態で網締めされる活魚イケスは、網材の周囲を引き上げるときに、全周を全く均一には引き揚げできないので、網材が波形に変形して、凹凸ができ、また、網材の一部が折り畳まれた状態となって、活魚を損傷させる。さらに、このときにできた、網材の凹部に活魚が侵入するので、生息する全ての活魚を能率よく捕獲するのが難しい欠点がある。また、変形した網材によって活魚の損傷が大きくなる欠点もある。
【０００６】
本発明は、さらにこのような欠点を解決することを目的に開発されたものである。本発明の重要な目的は、生息させる活魚の損傷を少なくできると共に、活魚を簡単かつ容易に、しかも損傷を少なくして捕獲できる活魚イケスを提供することにある。
【０００７】
【課題を解決するための手段】
本発明の活魚イケスは、網材１を海中に浮設して設置し、この網材１に海水を自由に透過させて内部に活魚を生息させるイケスを改良したもので、下記の独特の構成を備えている。
【０００８】
活魚イケスは、網材開口部の平面形状を多角形、円形、または楕円形として、水平断面積を下方に向かって次第に小さく形成している。さらに、網材１は底面の中心部に、網材１を引き上げる引上部材３が連結される。引上部材３は、常時連結され、あるいは網材１を引き上げるときに連結される。また、網材１は、上端に沿ってイケスフレーム２を設けている。イケスフレーム２は、対角あるいは対辺を連絡する線上に作業橋４を連結しており、この作業橋４の中心部分には、引上部材３を介して網材１を引き揚げる吊揚開口５を設けている。
【０００９】
この構造の活魚イケスは、底部を細くするテーパー状としているので、海水の流動で変形するのを防止できる。とくに、変形しやすい底部の変形を有効に防止できる。それは、底部の中心に向かって下り勾配に傾斜する網材１が、沈降しようとする自重で拡開されるからである。さらに、本発明の活魚イケスは、底部に向かって水平面積を小さくする網材１の中央部分を、作業橋４の吊揚開口５に引き揚げて畜養する活魚を捕獲できるので、簡単かつ容易に、しかも楽に活魚を回収できる。
【００１０】
【発明の実施の形態】
以下、本発明の実施例を図面に基づいて説明する。ただし、以下に示す実施例は、本発明の技術思想を具体化するための活魚イケスを例示するものであって、本発明は活魚イケスを下記のものに特定しない。
【００１１】
さらに、この明細書は、特許請求の範囲を理解し易いように、実施例に示される部材に対応する番号を、「特許請求の範囲の欄」、および「課題を解決するための手段の欄」に示される部材に付記している。ただ、特許請求の範囲に示される部材を、実施例の部材に特定するものでは決してない。
【００１２】
図２に示す活魚イケスは、海水を自由に透過させて内部に活魚を生息させる網材１と、この網材１の上端に沿って設けられたイケスフレーム２とを備える。
【００１３】
網材１は、上端開口部の平面形状を多角形、円形、または楕円形とし、水平断面積を下方に向かって次第に小さく形成している。図３に示す網材１は、平面形状を八角形としている。この網材１は、上端の開口部と底面の両方を八角形として、底面の八角形を上端開口部の八角形よりも小さくしている。この網材１は、下方に向かって次第に幅が狭くなる台形状をしている８枚の側網１Ａを筒状に連結し、底に八角形の底網１Ｂを連結して製作される。
【００１４】
開口部を八角形とする網材１は、図４に示すように、底網１Ｂを四角形とすることもできる。この図の網材１は、幅を同じとする長方形の側網１Ａと、逆三角形の側網１Ａとを連結し、底に四角形の底網１Ｂを連結して製造される。この形状の網材１は、長方形の側網１Ａを使用して能率よく製造できる。
【００１５】
さらに、図５に示す網材１は、上端と底面を六角形としている。この網材１は、図３の網材１と同じように、下方に向かって幅が狭くなる台形状の側網１Ａを連結し、底面に六角形の底網１Ｂを連結して製造される。
【００１６】
図６に示す網材１は、上端と底面を五角形としている。この網材１も、図３の網材１と同じように、下方に向かって幅が狭くなる５枚の台形状側網１Ａを連結し、底面に五角形の底網１Ｂを連結して製造される。
【００１７】
さらにまた、図７に示す網材１は、上端と底面を四角形としている。この網材１も、図３の網材１と同じように、下方に向かって幅が狭くなる４枚の台形状側網１Ａを連結し、底面に四角形の底網１Ｂを連結して製造される。
【００１８】
さらに、図８に示す網材１は、上端の開口部を１２角形として、底面を６角形としている。この網材１は、幅を同じとする６枚の長方形の側網１Ａと、逆三角形の側網１Ａ６枚とを連結し、底に六角形の底網１Ｂを連結して製造される。この形状の網材１も、長方形の側網１Ａと三角形の側網１Ａとを使用して能率よく製造できる。
【００１９】
図３ないし図８に示す網材１は、上端開口部を多角形としている。ただ、網材は上端開口部を、円形ないし楕円形のイケスフレームに連結して、円形あるいは楕円形に拡開することもできる。
【００２０】
網材１は、図９に示すように、底部におもり１１を設けている。おもり１１は、好ましくは、底網１Ｂと側網１Ａとの境界部、及び側網１Ａの中間部、及び底網１Ｂの中央部分に固定する。これらの位置におもり１１を備える網材１は、おもり１１から受ける引張力よって、拡開状態に保持される特長がある。おもり１１は、図１０に示すように、紐を介して網材１に取り付けることもできる。また、網材は、海水の比重より重いものを使用することもできる。これらの網材は、通常静置時および底部引き上げ時に、網材に生じる網シワを少なくできる特長がある。ただ、本発明は、おもりの固定位置を上記の位置に特定しない、おもりは、網材の形状に応じて、網材を効率よく拡開できる種々な位置に変更することもできる。
【００２１】
さらに、網材１は、図９に示すように、底面の中心部に、網材１を引き上げる引上部材３を連結している。引上部材３は、網材１の底部に下端を連結しているロープで、上端に浮き６を連結している。ロープは、浮き６を水面に浮上させる全長をしている。引上部材３は、浮き６を使用しないで、上端を作業橋４に連結することもできる。この構造の引上部材３は、常にロープを連結しているので、網材１を簡単に引き上げできる特長がある。
【００２２】
引上部材３は、必ずしも網材１に常に連結する必要はない。図１０に示すように、下端に重りとフック７を連結したロープとすることもできる。この引上部材３は、重りで降下される。フック７は、網材１の底面を通過して、引き上げるときに、網材１を引っかける。この引上部材３は、常に網材１に連結せず、網材１を引き上げるときに連結するので、活魚が遊泳するのに邪魔にならない特長がある。
【００２３】
イケスフレーム２は、図２に示すように、全体の形状を方形状としている。イケスフレーム２は、金属や竹等を方形状に連結して製造される。イケスフレーム２は、海上に浮設できるように、図１１の断面図に示すように、フロート１２を設けている。イケスフレーム２は、上を歩くことができるように、歩み板を張設している。
【００２４】
作業橋４は、イケスフレーム２に、対向する辺を連絡して連結されている。作業橋は、イケスフレームの対角線上に連結することもできる。作業橋４は、充分な強度を有するように、金属や竹等をトラス組した構造としている。作業橋４は中心に吊揚開口５を設けている。吊揚開口５は、図１２に示すように、網材１を吊り上げて通過できる大きさに開口されている。さらに、この図に示すように、網材１の中央部分を吊り上げた網材１は、イケスフレーム２の内側にドーナツ状の回遊水路１３を形成する。このとき、網材１内の活魚は、この回遊水路１３に集められる。回遊水路１３に集められた活魚は、図１３に示すように、寄せ網８でドーナツ状の回遊水路１３に沿って追い込まれ、魚ポンプ１４で吸い上げて捕獲できる。
【００２５】
網材１は、図１４に示すように、活魚イケスに作業船９を横付けし、作業船９のクレーン１０を引上部材に連結して簡単に吊り上げできる。ただ、網材は、作業橋に伸縮クレーンを装備し、この伸縮クレーンを引上部材に連結して吊り上げることもできる。また、引上部材を手で引っ張って吊り上げることもできる。
【００２６】
【発明の効果】
本発明の活魚イケスは、生息させる活魚の損傷を少なくして、しかも、活魚を簡単かつ容易に、しかも能率よく傷を付けないで捕獲できる特長がある。それは、本発明の活魚イケスが、水平断面積を下部に向かって次第に小さく形成すると共に、網材底面の中心部に、引上部材を連結し、この引上部材を、網材の上端に沿って設けられたイケスフレームの作業橋の吊揚開口に吊り上げて活魚を捕獲するからである。とくに、底部の水平断面積を次第に小さくする網材は、海水の動きで変形されるのが防止されると共に、底部の中央を引上部材で吊り上げるときには、網材が凹凸に変形して、活魚が衝突するのを有効に防止できる。このため、活魚を遊泳させるときと、活魚を捕獲するときに、活魚の傷つきを少なくできる。また、網材の底部中心を引上部材で吊り上げる簡単な作業で、活魚を捕獲できるので、楽に全ての活魚を回収できる特長がある。
【図面の簡単な説明】
【図１】従来の活魚イケスの一例を示す斜視図
【図２】本発明の実施例の活魚イケスを示す斜視図
【図３】図２に示す活魚イケスの網材の側面図と平面図と展開図
【図４】本発明の他の実施例の活魚イケスの網材の側面図と平面図と展開図
【図５】本発明の他の実施例の活魚イケスの網材の側面図と平面図と展開図
【図６】本発明の他の実施例の活魚イケスの網材の側面図と平面図と展開図
【図７】本発明の他の実施例の活魚イケスの網材の側面図と平面図と展開図
【図８】本発明の他の実施例の活魚イケスの網材の側面図と平面図と展開図
【図９】本発明の活魚イケスを示す断面図
【図１０】本発明の他の実施例の活魚イケスを示す断面図
【図１１】イケスフレームと作業橋を示す断面図
【図１２】図９に示す活魚イケスの底部の引き上げ状態を示す断面図
【図１３】図１２に示す活魚イケスで魚を捕獲する状態を示す平面図
【図１４】活魚イケスの使用状態を示す平面図
【符号の説明】
１…網材            １Ａ…側網    １Ｂ…底網
２…イケスフレーム
３…引上部材
４…作業橋
５…吊揚開口
６…浮き
７…フック
８…寄せ網
９…作業船
１０…クレーン
１１…おもり
１２…フロート
１３…回遊水路
１４…魚ポンプ
【図１】
0003689501.tif 000002
【図２】
0003689501.tif 000003
【図３】
0003689501.tif 000004
【図４】
0003689501.tif 000005
【図５】
0003689501.tif 000006
【図６】
0003689501.tif 000007
【図７】
0003689501.tif 000008
【図８】
0003689501.tif 000009
【図９】
0003689501.tif 000010
【図１０】
0003689501.tif 000011
【図１１】
0003689501.tif 000012
【図１２】
0003689501.tif 000013
【図１３】
0003689501.tif 000014
【図１４】
0003689501.tif 000015